(57)【要約】【課題】食器洗い機の防音構造の改善により、製造費用を減らしながらも優れた防音効果を発揮する食器洗い機を提供する。【解決手段】本体内に設けられる洗浄槽と、食器を保持するため前記洗浄槽内に設けられるバスケットと、前記洗浄槽内に収容された洗浄水を加圧する洗浄ポンプと、前記洗浄ポンプから供給される洗浄水を噴射する噴射ノズルと、前記洗浄槽の内側面から離隔するように前記洗浄槽内に設けられ、前記噴射ノズルから噴射された洗浄水を減圧させながら分散させる防音部材とを含む。【選択図】        図１
2004148094.tif 000002
【特許請求の範囲】
【請求項１】
本体内に設けられる洗浄槽と、
前記洗浄槽内に収容された洗浄水を加圧する洗浄ポンプと、
前記洗浄ポンプから供給される洗浄水を噴射する噴射ノズルと、
前記洗浄槽内に取り付けられる防音部材とを含んでなることを特徴とする食器洗い機。
【請求項２】
前記防音部材は網状構造を有することを特徴とする請求項１に記載の食器洗い機。
【請求項３】
前記防音部材は、前記洗浄槽の内側面から離隔するように、前記洗浄槽内に取り付けられることを特徴とする請求項１に記載の食器洗い機。
【請求項４】
前記噴射ノズルは、洗浄水を上方に噴射するように、前記洗浄槽内の下部に取り付けられ、前記防音部材は前記洗浄槽内の上部に取り付けられることを特徴とする請求項１に記載の食器洗い機。
【請求項５】
前記食器洗い機は、前記洗浄槽を開閉するため前記本体の側壁に装着されるドアをさらに含み、前記防音部材は前記ドアの内側面と前記洗浄槽の側壁の内側面に取り付けられることを特徴とする請求項１に記載の食器洗い機。
【請求項６】
前記防音部材は、
前記洗浄槽の内側面を覆うため所定の面積を有する網部と、
前記網部の縁部を支持する枠部とからなることを特徴とする請求項１に記載の食器洗い機。
【請求項７】
前記食器洗い機は、前記防音部材の枠部を着脱可能に支持するため、前記洗浄槽の内側面に設けられた溝形レールをさらに含むことを特徴とする請求項６に記載の食器洗い機。
【請求項８】
前記食器洗い機は、前記網部にコートされた抗菌材をさらに含むことを特徴とする請求項６に記載の食器洗い機。
【請求項９】
洗浄槽と、
前記洗浄槽内に洗浄水を噴射する噴射ノズルと、
前記洗浄槽の少なくとも一内側面に設けられた防音部材とを含んでなることを特徴とする食器洗い機。
【請求項１０】
前記防音部材は、網状構造を有し、前記洗浄槽の内側面から離隔するように、前記洗浄槽内に取り付けられることを特徴とする請求項９に記載の食器洗い機。
【請求項１１】
食器洗い機用防音システムにおいて、
洗浄槽と、
前記洗浄槽内に洗浄水を噴射する噴射ノズルと、
洗浄水の運動量を減少させるため、前記洗浄槽の内部に設けられるプレートとを含んでなることを特徴とする防音システム。
【請求項１２】
前記プレートは前記洗浄槽の内壁から所定距離だけ離隔することを特徴とする請求項１１に記載の防音システム。
【請求項１３】
前記プレートは多孔性であることを特徴とする請求項１１に記載の防音システム。
【請求項１４】
前記プレートは柔軟性のものであることを特徴とする請求項１１に記載の防音システム。
【請求項１５】
前記プレートは抗菌材でコートされていることを特徴とする請求項１１に記載の防音システム。
【請求項１６】
前記プレートは着脱可能であることを特徴とする請求項１１に記載の防音システム。
【請求項１７】
前記プレートは前記洗浄槽の上部に位置することを特徴とする請求項１１に記載の防音システム。
【請求項１８】
前記プレートは前記洗浄槽のドア上に位置することを特徴とする請求項１１に記載の防音システム。
【請求項１９】
前記プレートは前記洗浄槽の側壁上に位置することを特徴とする請求項１１に記載の防音システム。
【請求項２０】
前記プレートは洗浄過程で食器から除去された汚物が通過することを防止する微細網部を有することを特徴とする請求項１１に記載の防音システム。
【請求項２１】
前記プレートは金属又は樹脂から製造され、所定の強度及び所定の耐食性を有することを特徴とする請求項１１に記載の防音システム。
【請求項２２】
洗浄槽と、
噴射ノズルと、
前記噴射ノズルから噴射された洗浄水を分散するため、前記洗浄槽内に取り付けられる防音部材とを含んでなることを特徴とする食器洗い機。
【請求項２３】
前記防音部材は網状であることを特徴とする請求項２２に記載の食器洗い機。
【請求項２４】
前記防音部材は、前記洗浄槽の内側面から離隔するように前記洗浄槽内に取り付けられることを特徴とする請求項２２に記載の食器洗い機。
【請求項２５】
洗浄槽と、
噴射ノズルと、
前記噴射ノズルから噴射された洗浄水が前記洗浄槽の内側面に直接噴射されることを防止するため、前記洗浄槽内に取り付けられる防音部材とを含んでなることを特徴とする食器洗い機。
【請求項２６】
前記防音部材は網状であることを特徴とする請求項２５に記載の食器洗い機。
【請求項２７】
前記防音部材は、前記洗浄槽の内側面から離隔するように前記洗浄槽内に取り付けられることを特徴とする請求項２５に記載の食器洗い機。
【発明の詳細な説明】
【０００１】
【発明の属する技術分野】
本発明は食器洗い機に係り、より詳しくは防音構造を改善した食器洗い機に関するものである。
【０００２】
【従来の技術】
一般に、食器洗い機は、食器に高圧の洗浄水を噴射して食器を洗う装置である。かかる食器洗い機は、本体ケースの内部に洗浄空間をなす洗浄槽が設けられ、洗浄槽の内部に、食器を収納し外部への引き出しができる食器バスケットが設けられている。また、洗浄槽の内側下部には、食器バスケットに収納された食器に洗剤とともに洗浄水を噴射する噴射ノズルが設けられ、該噴射ノズルに高圧の洗浄水を供給する洗浄ポンプが設けられている。さらに、食器洗い機は、洗浄槽内部への給水のための給水装置と、洗浄の後、洗浄水を排水する排水装置と、排水過程で異物を濾過するフィルタ手段とを備えている。
【０００３】
ところが、このような食器洗い機は、噴射ノズルから高圧の洗浄水を食器に噴射して食器の洗浄を行う方式であるため、噴射ノズルから噴射される水流が洗浄槽の内壁にぶつかって洗浄を行っているうちに大きい騒音が発生する問題点があった。したがって、従来、このような洗浄騒音を最小化するため、洗浄槽の外面に所定厚さにアスファルトをコートしたり、断熱材形態の防音材を付着する方式を取ったりしたが、このような防音方法は、食器洗い機の製造工程を複雑にして製造費用の上昇をもたらし、投入の費用及び努力に比べて防音効果があまり満足できなかった。
【０００４】
【発明が解決しようとする課題】
したがって、本発明はこのような従来の問題点を解決するためになされたもので、その目的は、食器洗い機の防音構造の改善により、製造費用を減らしながらも従来より優れた防音効果を発揮する食器洗い機を提供することにある。
【０００５】
【課題を解決するための手段】
前記のような目的を達成するため、本発明は、本体内に設けられる洗浄槽と、食器を保持するため前記洗浄槽内に設けられるバスケットと、前記洗浄槽内に収容された洗浄水を加圧する洗浄ポンプと、前記洗浄ポンプから供給される洗浄水を噴射する噴射ノズルと、前記洗浄槽の内側面から離隔するように前記洗浄槽内に設けられ、前記噴射ノズルから噴射された洗浄水を減圧させながら分散させる防音部材とを含んでなる食器洗い機を提供する。
【０００６】
前記噴射ノズルは、洗浄水を上方に噴射するように、前記洗浄槽内の下部に取り付けられ、前記防音部材は前記洗浄槽内の上部に取り付けられる。
【０００７】
前記洗浄槽を開閉するため前記本体の側壁にドアが装着され、前記防音部材は前記ドアの内側面と前記洗浄槽の側壁の内側面に取り付けられる。
【０００８】
前記防音部材の枠部を着脱可能に支持するため、前記洗浄槽の内側面に溝形レールが設けられる。
【０００９】
前記網部に抗菌材がコートされる。
【００１０】
【発明の実施の形態】
以下、本発明の好ましい実施例を添付図面に基づいて詳細に説明する。
【００１１】
図１及び図２に示すように、本発明による食器洗い機は、内部に洗浄空間をなす洗浄槽１１が内蔵された本体１０を有する。前記本体１０には、洗浄槽１１の一面の開閉ができるように、水平軸を中心に上下に回動するドア１２が設けられ、洗浄槽１１の内部には食器などの収納のための食器バスケット１３が収容される。本実施例において、食器バスケット１３は鐵網からなり、食器の引き出し及び押し込みが容易であるように、洗浄槽１１の両側面に装着されたレール１４により支持される。
【００１２】
洗浄槽１１の内側下部には、上部の食器バスケット１３側に洗浄水を噴射するための多数の噴射孔１５を有する回転可能な噴射ノズル１６が設けられ、洗浄槽１１の下部には、洗浄槽１１の内部の洗浄水を吸入し加圧して噴射ノズル１６側に供給する洗浄ポンプ１７が設けられる。
【００１３】
また、洗浄槽１１の上部には、洗浄槽１１の内部に洗浄水を供給するため、給水バルブ１８を備えた給水管１９が設けられ、洗浄槽１１の下部には、洗浄水と汚物が溜まるように、所定深さに陥没した集水部２０が設けられる。そして、集水部２０には、汚物を濾過するフィルタ２１が設けられる。フィルタ２１により濾過された洗浄水の再循環ができるように、洗浄ポンプ１７の吸入配管１７ａは集水部２０の一側に連結される。集水部２０には、洗浄動作の終了後、洗浄水を排水するための配水管２２が連結され、該配水管２２には洗浄水の強制排出のための排水ポンプ２３が取り付けられる。
【００１４】
本発明による食器洗い機は、噴射ノズル１６から噴射される洗浄水が洗浄槽１１の内壁に直接噴射されることにより発生する騒音を減少させるため、洗浄槽１１の内側上面及び側面とドア１２の内面に防音部材３０が取り付けられる。
【００１５】
図３及び図４に示すように、防音部材３０は、洗浄槽１１の内面を遮る網部３１と、該網部３１の縁部を支持する枠部３２とからなる。図示していない実施例において、前記防音部材３０は洗浄槽１１の内側面に直接取り付けることができる。図１ないし図４に示すように、防音部材３０は洗浄槽１１の内面から所定間隔（Ｌ）だけ離隔して取り付けられる。前記防音部材３０は、必要時に容易に交替又は掃除できるように、その枠部３２が、洗浄槽１１の内面に形成された溝形レール３３に挿着される。
【００１６】
図４に示すように、このような構成の防音部材３０は、噴射ノズル１６から噴射される所定圧力の洗浄水（Ｗ）を網部３１にぶつけて、減圧及び分散させることにより、食器の洗浄過程で洗浄水の噴射による騒音を減少させるためのものである。また、このような構成は、洗浄騒音を減少させるため、洗浄槽１１の外面にアスファルトなどの防音材をコートしている従来の方式とは異なり、食器を洗浄しているうちに発生する騒音を減少させることにより、食器洗浄機の製造を容易にするとともに製造費用を節減するものである。
【００１７】
また、網部３１は、洗浄過程で生じる汚物の通過を抑制して、網部３１の裏面側が洗浄汚物により汚染されることを防止するため、格子間の間隔が微細になることが好ましく、また所定の剛性を有する耐食性の金属材又は樹脂材からなることが好ましい。また、網部３１は、通常の抗菌物質からなった抗菌コート材を塗布することにより、網部３１が細菌に汚染されるか、又は内部の湿気により網部３１にカビが生じる現象などを防止するようにすることが好ましい。
【００１８】
つぎに、このように構成された本発明による食器洗い機の洗浄動作を説明する。
【００１９】
洗浄槽１１内に洗剤を装入し、食器の積載された食器バスケット１３を洗浄槽１１内に収納しドア１２を閉じた後、食器洗い機を作動させると、給水バルブ１８が開放し、洗浄槽１１の内部に洗浄水が供給される。
【００２０】
所定量の洗浄水が供給された後、洗浄ポンプ１７が動作して、洗剤を含む洗浄水を加圧し、加圧された洗浄水が噴射ノズル１６に供給され、洗浄水の噴射が行われる。よって、噴射ノズル１６から噴射される所定圧力の洗浄水により食器が洗浄される。
【００２１】
洗浄過程で噴射ノズル１６から高圧で噴射される水流は食器バスケット１３に収納された食器に噴射されて、食器に付いた汚物を除去し、水流の一部は洗浄槽１１の内側全面に設けられた防音部材３０の網部３１にぶつかる。この際、高圧で噴射される洗浄水（Ｗ）が防音部材３０の網部３１にぶつかり、減圧、分散される。すなわち、噴射される洗浄水（Ｗ）が直接洗浄槽１１の内面に噴射されないので、騒音が発生しない。そして、洗浄のために噴射された洗浄水は再び洗浄槽１１の下部の集水部２０に溜まり、フィルタ２１を通過しながら汚物が濾された後、洗浄ポンプ１７に流入し、洗浄のために再噴射される。
【００２２】
所定時間の洗浄を行った後、排水ポンプ２３が動作して汚物を含んだ洗浄水が排水され、給水バルブ１８が開き、新たな洗浄水が供給される。新たな洗浄水を用いて、同一方式の洗浄過程で食器のすすぎが行われる。数回のすすぎを行った後、排水ポンプ２３により洗浄水がすっかり排水された後、動作が終了する。
【００２３】
【発明の効果】
以上説明したように、本発明による食器洗い機は、洗浄槽の内面から離隔して取り付けられた網形防音部材により、噴射ノズルから噴射される洗浄水を減圧、分散させるため、噴射される洗浄水が洗浄水の内面に直接噴射される現象を避けることができるので、洗浄水の噴射により発生する騒音を従来に比べ著しく減らすことができる効果がある。
【００２４】
また、本発明は、洗浄過程での騒音を減らすため、洗浄槽の内部に網形の防音部材が取り付けられた構造であるため、洗浄槽の外面にアスファルトなどの防音材をコートしている従来の方式に比べ食器洗い機の製造が簡単であるだけでなく、製造費用が著しく減少する効果がある。
【００２５】
また、本発明は、洗浄された汚物を濾すように防音部材の格子間隔が微細になるため、防音部材の裏面の汚染を防止することができる効果がある。
【００２６】
また、本発明は、防音部材に抗菌物質が塗布されるため、細菌による防音部材の汚染を防止することができる効果がある。
【図面の簡単な説明】
【図１】本発明による食器洗い機の断面図である。
【図２】図１の線ＩＩ−ＩＩ’についての断面図である。
【図３】図１の食器洗い機の防音部材を示す斜視図である。
【図４】図１の食器洗い機の防音部材を示す断面図である。
【符号の説明】
１０  本体
１１  洗浄槽
１２  ドア
１３  食器バスケット
１６  噴射ノズル
１７  洗浄ポンプ
１８  給水バルブ
２０  集水部
２１  フィルタ
２３  排水ポンプ
３０  防音部材
３１  網部
３２  枠部
３３  溝形レール
【図１】
2004148094.tif 000003
【図２】
2004148094.tif 000004
【図３】
2004148094.tif 000005
【図４】
2004148094.tif 000006